(57)【要約】【課題】光ファイバ心線の突出部をファイバ固定部の内部に挿入する際に突出部がシース内に押し戻されることを抑制すると共に、突出部の撓みを解消させて光コネクタの小型化を図る。【解決手段】本発明は、シース７４及び抗張力体７６に対して光ファイバ心線７２が長手方向に移動可能とされた、所謂、ルースな光ファイバコード７０に光コネクタを取り付けるための光コネクタの組立方法であって、光ファイバ心線７２の突出部７２Ａをシース７４及び抗張力体７６に対して長手方向に移動不能に把持した状態で、ファイバ固定部２０の内部で突出部７２Ａを内蔵光ファイバ２２に突き合わせると共に、突出部７２Ａにおける把持位置とファイバ固定部２０との間において突出部７２Ａの一部に撓み７８を生じさせ、この状態で、突出部７２Ａと内蔵光ファイバ２２とをファイバ固定部２０によって固定する。そして、その後、突出部７２Ａの把持を解除する。【選択図】図１Ｂ
2011017979.tif 000002
【特許請求の範囲】
【請求項１】
内蔵光ファイバを有するフェルールと、
前記フェルールと一体に設けられると共に、内部に前記内蔵光ファイバが挿入され、光ファイバコードのシース及び抗張力体の端部から突出された光ファイバ心線の突出部を前記内蔵光ファイバと内部で突き合わせた状態で固定するためのファイバ固定部と、
前記フェルール及び前記ファイバ固定部と別体に構成され、前記シース及び前記抗張力体の少なくとも一方と固定されるコード固定部と、
前記コード固定部に一体に設けられ、前記突出部を把持するための心線把持部と、
を備えた光コネクタ。
【請求項２】
前記突出部と前記内蔵光ファイバとが前記ファイバ固定部によって固定された後に、前記心線把持部による前記突出部の把持を解除するための解除部を備えた、
請求項１に記載の光コネクタ。
【請求項３】
前記解除部は、前記心線把持部と接触されて前記心線把持部を変形させることにより前記心線把持部による前記突出部の把持を解除する、
請求項２に記載の光コネクタ。
【請求項４】
前記解除部は、前記心線把持部が前記ファイバ固定部に接近されることに伴って前記心線把持部と接触されて前記心線把持部を変形させる、
請求項３に記載の光コネクタ。
【請求項５】
前記心線把持部は、
前記コード固定部から前記ファイバ固定部に向けて延出された本体部と、
前記本体部の先端側に形成され、前記突出部を把持可能な複数の爪部と、
を有し、
前記解除部は、前記複数の爪部と前記ファイバ固定部との間に設けられると共に、前記複数の爪部に向けて延出された延出部とされている、
請求項４に記載の光コネクタ。
【請求項６】
前記心線把持部は、
前記コード固定部から前記ファイバ固定部に向けて延出されて、前記突出部を把持可能なアーム片と、
前記複数のアーム片の少なくともいずれかに形成された摺接部と、
を有し、
前記解除部は、前記心線把持部が前記ファイバ固定部に接近されることに伴って前記摺接部と摺接される被摺接部とされている、
請求項４に記載の光コネクタ。
【請求項７】
少なくとも前記ファイバ固定部を収容するハウジング本体と、
前記ハウジング本体に変位可能に支持された可動部と、
を有するハウジングを備え、
前記解除部は、前記可動部に設けられると共に、前記可動部が前記ハウジング本体に対して変位されることに伴って前記心線把持部と接触されて前記心線把持部を変形させる、
請求項３に記載の光コネクタ。
【請求項８】
前記心線把持部は、
前記コード固定部から前記ファイバ固定部に向けて延出されて、前記突出部を把持可能な複数のアーム片と、
前記複数のアーム片の少なくともいずれかに形成された被係合部と、
を有し、
前記解除部は、前記可動部が前記ハウジング本体に対して変位されることに伴って前記被係合部を係合状態で一体に変位させる係合部とされている、
請求項７に記載の光コネクタ。
【請求項９】
少なくとも前記心線把持部を収容する収容部を有するハウジングを備え、
前記心線把持部は、前記コード固定部から前記ファイバ固定部に向けて延出されると共に、弾性変形状態で前記突出部を把持する複数の弾性片を有し、
前記各弾性片と前記収容部との間には、前記各弾性片を押圧して前記弾性変形状態とさせるための押圧部が設けられている、
請求項１に記載の光コネクタ。
【請求項１０】
前記互いに突き合わされた前記突出部と前記内蔵光ファイバとが前記ファイバ固定部によって固定された後に、前記複数の弾性片が前記ファイバ固定部に接近された場合に前記押圧部による前記各弾性片の押圧状態を解除する解除部を備えた、
請求項９に記載の光コネクタ。
【請求項１１】
前記押圧部は、前記弾性片及び前記収容部の一方から他方に向けて形成された突起とされ、
前記解除部は、前記弾性片及び前記収容部の他方に形成され前記突起が進入可能な逃げ部とされている、
請求項１０に記載の光コネクタ。
【請求項１２】
前記心線把持部は、前記コード固定部に一体に形成されている、
請求項１〜請求項１１のいずれか一項に記載の光コネクタ。
【請求項１３】
前記心線把持部は、前記コード固定部と別体に構成されている、
請求項１に記載の光コネクタ。
【請求項１４】
前記心線把持部は、前記コード固定部から前記ファイバ固定部に向けて延出されると共に、弾性変形状態で前記突出部を把持する複数の弾性片を有し、
前記複数の弾性片に取り付けられて前記複数の弾性片を前記弾性変形状態とさせる把持補助部材を備えた、
請求項１に記載の光コネクタ。
【請求項１５】
少なくとも前記ファイバ固定部を収容するハウジング本体を有し、前記心線把持部による前記突出部の把持が解除された状態で前記ハウジング本体に対して前記コード固定部を保持するハウジングを備えた、
請求項１〜請求項１４のいずれか一項に記載の光コネクタ。
【請求項１６】
内蔵光ファイバを有するフェルールと、前記フェルールと一体に設けられると共に、内部に前記内蔵光ファイバが挿入されたファイバ固定部と、前記フェルール及び前記ファイバ固定部と別体に構成されたコード固定部と、を備えた光コネクタを光ファイバコードに取り付けるための光コネクタの組立方法であって、
前記光ファイバコードのシース及び抗張力体の端部から突出された光ファイバ心線の突出部を前記シース及び前記抗張力体に対して長手方向に移動不能に把持した状態で、前記ファイバ固定部の内部で前記突出部を前記内蔵光ファイバに突き合わせると共に、前記突出部における把持位置と前記ファイバ固定部との間において前記突出部の一部に撓みを生じさせ、この状態で、前記互いに突き合わせた前記突出部と前記内蔵光ファイバとを前記ファイバ固定部によって固定する光コネクタの組立方法。
【請求項１７】
前記互いに突き合わせた前記突出部と前記内蔵光ファイバとを前記ファイバ固定部によって固定した後に、前記突出部の把持を解除する、
請求項１６に記載の光コネクタの組立方法。
【発明の詳細な説明】
【技術分野】
【０００１】
本発明は、光コネクタ及びその組立方法に係り、特に、光ファイバ心線と、光ファイバ心線を収容するシースと、光ファイバ心線及びシースの間に設けられた抗張力体とを有する光ファイバコードに取り付けられる光コネクタ及びその組立方法に関する。
【背景技術】
【０００２】
この種の光コネクタでは、シース及び抗張力体から突出された光ファイバ心線の突出部をフェルールに内蔵された内蔵光ファイバに確実に突き合わせた状態で固定することが必要である。また、突出部と内蔵光ファイバとの確実な突き合わせ状態を確認するために、突出部の一部に撓みを生じさせる場合がある（例えば、特許文献１参照）。
【先行技術文献】
【特許文献】
【０００３】
【特許文献１】特開２００５−３１６２２１号公報
【特許文献２】特開２００７−２７９５２８号公報
【発明の概要】
【発明が解決しようとする課題】
【０００４】
シース及び抗張力体に対して光ファイバ心線が長手方向に移動しない、所謂、タイトな光ファイバコードの場合、作業者がシースや抗張力体又はこれらを把持する部材を手で持ちながら、突出部を光コネクタ内に挿入して突出部と内蔵光ファイバとを突き合わせ、突出部の一部に撓みを生じさせることが可能である。
【０００５】
しかしながら、シース及び抗張力体に対して光ファイバ心線が長手方向に移動可能とされた、所謂、ルースな光ファイバコードの場合、作業者がシースや抗張力体又はこれらを把持する部材を手で持ちながら突出部を光コネクタ内に挿入する際に、光コネクタ内で突出部に引っ掛かりや挿入抵抗が作用した場合には、突出部がそれ以上光コネクタ内に挿入されていかずにシース内に押し戻される。このため、突出部を内蔵光ファイバに突き合わせることが困難であった。
【０００６】
そこで、このルースな光ファイバコードの場合には、シースの先端側を外側から圧縮したりクリップなどで挟み込んだりしてシース及び抗張力体に対して光ファイバ心線を固定し、これにより、突出部がシース内に押し戻されることを抑制して、突出部を内蔵光ファイバに突き合わせる方法が考案されている。
【０００７】
しかしながら、この方法では、光ファイバコードの外径が大きかったり、シースが厚かったりした場合には、シース及び抗張力体に対して光ファイバ心線を固定することが難しく、突出部を内蔵光ファイバに突き合わせることが困難であった。
【０００８】
また、シースの先端側をクリップなどで挟み込んだままにした場合には、光ファイバコードが擬似的にタイトとなる。このため、光コネクタ組立後においても、突出部の一部に撓み（余長）が生じた状態となる。しかしながら、この突出部の撓みが光学特性や信頼性を損なわないような適切な曲率に維持されるように、突出部の撓みを収容しておくための空間を光コネクタ内に確保する必要がある。このため、光コネクタが大型化するという課題がある。
【０００９】
本発明は、上記課題に鑑みてなされたものであって、所謂、ルースな光ファイバコードであっても、光ファイバ心線の突出部をファイバ固定部の内部に挿入する際にこの突出部がシース内に押し戻されることを抑制して、突出部を内蔵光ファイバに確実に突き合わせることが可能な光コネクタ及びその組立方法を提供することを目的とする。
【００１０】
また、本発明の他の目的は、小型化を図ることができる光コネクタ及びその組立方法を提供することにある。
【課題を解決するための手段】
【００１１】
前記課題を解決するために、請求項１に記載の光コネクタは、内蔵光ファイバを有するフェルールと、前記フェルールと一体に設けられると共に、内部に前記内蔵光ファイバが挿入され、光ファイバコードのシース及び抗張力体の端部から突出された光ファイバ心線の突出部を前記内蔵光ファイバと内部で突き合わせた状態で固定するためのファイバ固定部と、前記フェルール及び前記ファイバ固定部と別体に構成され、前記シース及び前記抗張力体の少なくとも一方と固定されるコード固定部と、前記コード固定部に一体に設けられ、前記突出部を把持するための心線把持部と、を備えている。
【００１２】
この光コネクタは、例えば、次の要領で光ファイバコードに取り付けられる。すなわち、シース及び抗張力体の少なくとも一方にコード固定部を固定し、シース及び抗張力体の端部から突出された光ファイバ心線の突出部をコード固定部に一体に設けられた心線把持部によって把持する。また、この状態で、心線把持部をコード固定部と共にファイバ固定部に接近させ、心線把持部によって把持された突出部をファイバ固定部の内部に挿入する。
【００１３】
そして、ファイバ固定部の内部で突出部を内蔵光ファイバに突き合わせると共に、ファイバ固定部に対する心線把持部の相対位置を調節することで、心線把持部とファイバ固定部との間において突出部の一部に撓みを生じさせ、突出部と内蔵光ファイバとの確実な突き合わせ状態を確認する。
【００１４】
続いて、この状態で、互いに突き合わされた突出部と内蔵光ファイバとをファイバ固定部によって固定する。これにより、光ファイバコードに光コネクタが取り付けられる。
【００１５】
このように、この光コネクタによれば、所謂、ルースな光ファイバコードであっても、コード固定部に一体に設けられた心線把持部によって突出部を把持することで、この突出部を有する光ファイバ心線をシース及び抗張力体に対して長手方向に移動不能な状態とすることができる。従って、突出部をファイバ固定部の内部に挿入する際に、この突出部がシース内に押し戻されることを抑制して、突出部を内蔵光ファイバに確実に突き合わせることができる。
【００１６】
請求項２に記載の光コネクタは、請求項１に記載の光コネクタにおいて、前記突出部と前記内蔵光ファイバとが前記ファイバ固定部によって固定された後に、前記心線把持部による前記突出部の把持を解除するための解除部をさらに備えている。
【００１７】
この光コネクタによれば、心線把持部による突出部の把持が解除部によって解除されると、光ファイバ心線がシース及び抗張力体に対して長手方向に移動可能な状態に戻るので、突出部の撓みを解消させることができる。これにより、突出部の撓みを収容しておくための空間を光コネクタ内に確保する必要がないため、光コネクタの小型化を図ることができる。
【００１８】
請求項３に記載の光コネクタは、請求項２に記載の光コネクタにおいて、前記解除部が前記心線把持部と接触されて前記心線把持部を変形させることにより前記心線把持部による前記突出部の把持を解除する構成とされている。
【００１９】
この光コネクタによれば、解除部が心線把持部と接触されて心線把持部が変形されることにより、心線把持部による突出部の把持を解除することができる。
【００２０】
請求項４に記載の光コネクタは、請求項３に記載の光コネクタにおいて、前記解除部が、前記心線把持部が前記ファイバ固定部に接近されることに伴って前記心線把持部と接触されて前記心線把持部を変形させる構成とされている。
【００２１】
この光コネクタによれば、心線把持部をファイバ固定部に接近させるだけの簡単な操作で、心線把持部による突出部の把持を解除することができる。
【００２２】
請求項５に記載の光コネクタは、請求項４に記載の光コネクタにおいて、前記心線把持部が、前記コード固定部から前記ファイバ固定部に向けて延出された本体部と、前記本体部の先端側に形成され、前記突出部を把持可能な複数の爪部と、を有し、前記解除部が、前記複数の爪部と前記ファイバ固定部との間に設けられると共に、前記複数の爪部に向けて延出された延出部とされた構成とされている。
【００２３】
この光コネクタによれば、心線把持部がファイバ固定部に接近されると、延出部が複数の爪部と接触されて、この複数の爪部が本体部との連結部を支点としてコード固定部側に変形され、これにより、複数の爪部による突出部の把持を解除することができる。
【００２４】
請求項６に記載の光コネクタは、請求項４に記載の光コネクタにおいて、前記心線把持部が、前記コード固定部から前記ファイバ固定部に向けて延出されて、前記突出部を把持可能なアーム片と、前記複数のアーム片の少なくともいずれかに形成された摺接部と、を有し、前記解除部は、前記心線把持部が前記ファイバ固定部に接近されることに伴って前記摺接部と摺接される被摺接部とされた構成とされている。
【００２５】
この光コネクタによれば、心線把持部がファイバ固定部に接近されると、これに伴って摺接部が被摺接部と摺接されて、この被摺接部が形成されたアーム片が変形され、これにより、複数のアーム片による突出部の把持を解除することができる。
【００２６】
請求項７に記載の光コネクタは、請求項３に記載の光コネクタにおいて、少なくとも前記ファイバ固定部を収容するハウジング本体と、前記ハウジング本体に変位可能に支持された可動部と、を有するハウジングをさらに備え、前記解除部は、前記可動部に設けられると共に、前記可動部が前記ハウジング本体に対して変位されることに伴って前記心線把持部と接触されて前記心線把持部を変形させる構成とされている。
【００２７】
この光コネクタによれば、可動部をハウジング本体に対して変位させるだけの簡単な操作で、心線把持部による突出部の把持を解除することができる。
【００２８】
請求項８に記載の光コネクタは、請求項７に記載の光コネクタにおいて、前記心線把持部が、前記コード固定部から前記ファイバ固定部に向けて延出されて、前記突出部を把持可能な複数のアーム片と、前記複数のアーム片の少なくともいずれかに形成された被係合部と、を有し、前記解除部は、前記可動部が前記ハウジング本体に対して変位されることに伴って前記被係合部を係合状態で一体に変位させる係合部とされた構成とされている。
【００２９】
この光コネクタによれば、可動部がハウジング本体に対して変位されると、これに伴って係合部が被係合部と係合状態で一体に変位されて、この被係合部が形成されたアーム片が変形され、これにより、複数のアーム片による突出部の把持を解除することができる。
【００３０】
請求項９に記載の光コネクタは、請求項１に記載の光コネクタにおいて、少なくとも前記心線把持部を収容する収容部を有するハウジングをさらに備え、前記心線把持部は、前記コード固定部から前記ファイバ固定部に向けて延出されると共に、弾性変形状態で前記突出部を把持する複数の弾性片を有し、前記各弾性片と前記収容部との間には、前記各弾性片を押圧して前記弾性変形状態とさせるための押圧部が設けられた構成とされている。
【００３１】
この光コネクタによれば、複数の弾性片が収容部内に収容されると、この各弾性片と収容部との間に設けられた押圧部によって複数の弾性片が押圧されて弾性変形され、これにより、この複数の弾性片によって突出部を把持することができる。
【００３２】
請求項１０に記載の光コネクタは、請求項９に記載の光コネクタにおいて、前記互いに突き合わされた前記突出部と前記内蔵光ファイバとが前記ファイバ固定部によって固定された後に、前記複数の弾性片が前記ファイバ固定部に接近された場合に前記押圧部による前記各弾性片の押圧状態を解除する解除部をさらに備えている。
【００３３】
この光コネクタによれば、互いに突き合わされた突出部と内蔵光ファイバとがファイバ固定部によって固定された後に、複数の弾性片がファイバ固定部に接近されると、押圧部による複数の弾性片の押圧状態が解除部によって解除される。そして、複数の弾性片が元の形状に復元されることにより、この複数の弾性片による突出部の把持を解除することができる。
【００３４】
さらに、複数の弾性片による突出部の把持が解除されると、光ファイバ心線がシース及び抗張力体に対して長手方向に移動可能な状態に戻るので、突出部の撓みを解消させることができる。これにより、突出部の撓みを収容しておくための空間を光コネクタ内に確保する必要がないため、光コネクタの小型化を図ることができる。
【００３５】
請求項１１に記載の光コネクタは、請求項１０に記載の光コネクタにおいて、前記押圧部が、前記弾性片及び前記収容部の一方から他方に向けて形成された突起とされ、前記解除部が、前記弾性片及び前記収容部の他方に形成され前記突起が進入可能な逃げ部とされた構成とされている。
【００３６】
この光コネクタによれば、互いに突き合わされた突出部と内蔵光ファイバとがファイバ固定部によって固定された後に、複数の弾性片がファイバ固定部に接近されると、弾性片及び収容部の一方から他方に向けて形成された突起が弾性片及び収容部の他方に形成された逃げ部に進入する。そして、これにより、複数の弾性片が元の形状に復元されるので、複数の弾性片による突出部の把持を解除することができる。
【００３７】
請求項１２に記載の光コネクタは、請求項１〜請求項１１のいずれか一項に記載の光コネクタにおいて、前記心線把持部が前記コード固定部に一体に形成された構成とされている。
【００３８】
この光コネクタによれば、心線把持部がコード固定部に一体に形成されているので、部品点数の増加を抑えることができる。
【００３９】
請求項１３に記載の光コネクタは、請求項１に記載の光コネクタにおいて、前記心線把持部が前記コード固定部と別体に構成された構成とされている。
【００４０】
この光コネクタによれば、コード固定部と別体に構成された心線把持部がコード固定部に取り付けられることにより、この心線把持部によって突出部を把持することができる。
【００４１】
また、心線把持部がコード固定部から取り外されることにより、心線把持部による突出部の把持を解除することができる。
【００４２】
さらに、心線把持部による突出部の把持が解除されると、光ファイバ心線がシース及び抗張力体に対して長手方向に移動可能な状態に戻るので、突出部の撓みを解消させることができる。これにより、突出部の撓みを収容しておくための空間を光コネクタ内に確保する必要がないため、光コネクタの小型化を図ることができる。
【００４３】
請求項１４に記載の光コネクタは、請求項１に記載の光コネクタにおいて、前記心線把持部が前記コード固定部から前記ファイバ固定部に向けて延出されると共に、弾性変形状態で前記突出部を把持する複数の弾性片を有し、前記複数の弾性片に取り付けられて前記複数の弾性片を前記弾性変形状態とさせる把持補助部材をさらに備えた構成とされている。
【００４４】
この光コネクタによれば、把持補助部材が複数の弾性片に取り付けられると、複数の弾性片が弾性変形され、これにより、この複数の弾性片によって突出部を把持することができる。
【００４５】
また、把持補助部材が複数の弾性片から取り外されると、複数の弾性片が元の形状に復元されるので、複数の弾性片による突出部の把持を解除することができる。
【００４６】
さらに、複数の弾性片による突出部の把持が解除されると、光ファイバ心線がシース及び抗張力体に対して長手方向に移動可能な状態に戻るので、突出部の撓みを解消させることができる。これにより、突出部の撓みを収容しておくための空間を光コネクタ内に確保する必要がないため、光コネクタの小型化を図ることができる。
【００４７】
請求項１５に記載の光コネクタは、請求項１〜請求項１４のいずれか一項に記載の光コネクタにおいて、少なくとも前記ファイバ固定部を収容するハウジング本体を有し、前記心線把持部による前記突出部の把持が解除された状態で前記ハウジング本体に対して前記コード固定部を保持するハウジングをさらに備えている。
【００４８】
この光コネクタによれば、心線把持部による突出部の把持が解除された状態で、コード固定部をハウジング本体に対して保持することができる。これにより、光コネクタからの光ファイバコードの抜けを抑制することができる。
【００４９】
また、前記課題を解決するために、請求項１６に記載の光コネクタの組立方法は、内蔵光ファイバを有するフェルールと、前記フェルールと一体に設けられると共に、内部に前記内蔵光ファイバが挿入されたファイバ固定部と、前記フェルール及び前記ファイバ固定部と別体に構成されたコード固定部と、を備えた光コネクタを光ファイバコードに取り付けるための光コネクタの組立方法であって、前記光ファイバコードのシース及び抗張力体の端部から突出された光ファイバ心線の突出部を前記シース及び前記抗張力体に対して長手方向に移動不能に把持した状態で、前記ファイバ固定部の内部で前記突出部を前記内蔵光ファイバに突き合わせると共に、前記突出部における把持位置と前記ファイバ固定部との間において前記突出部の一部に撓みを生じさせ、この状態で、前記互いに突き合わせた前記突出部と前記内蔵光ファイバとを前記ファイバ固定部によって固定する方法である。
【００５０】
この光コネクタの組立方法によれば、所謂、ルースな光ファイバコードであっても、光ファイバ心線の突出部をシース及び抗張力体に対して長手方向に移動不能に把持するので、突出部をファイバ固定部の内部に挿入する際に、この突出部がシース内に押し戻されることを抑制して、突出部を内蔵光ファイバに確実に突き合わせることができる。
【００５１】
請求項１７に記載の光コネクタの組立方法は、請求項１６に記載の光コネクタの組立方法において、前記互いに突き合わせた前記突出部と前記内蔵光ファイバとを前記ファイバ固定部によって固定した後に、前記突出部の把持を解除する方法である。
【００５２】
この光コネクタの組立方法によれば、突出部の把持を解除すると、光ファイバ心線がシース及び抗張力体に対して長手方向に移動可能な状態に戻るので、突出部の撓みを解消させることができる。これにより、突出部の撓みを収容しておくための空間を光コネクタ内に確保する必要がないため、光コネクタの小型化を図ることができる。
【発明の効果】
【００５３】
以上詳述したように、本発明の第一態様によれば、所謂、ルースな光ファイバコードであっても、光ファイバ心線の突出部をファイバ固定部の内部に挿入する際に、この突出部がシース内に押し戻されることを抑制して、突出部を内蔵光ファイバに確実に突き合わせることができる。
【００５４】
また、本発明の第二態様によれば、突出部の撓みを収容しておくための空間を光コネクタ内に確保する必要がないため、光コネクタの小型化を図ることができる。
【図面の簡単な説明】
【００５５】
【図１Ａ】本発明の第一実施形態に係る光コネクタの一部断面を含む側面図であって光コネクタの組立途中の状態を示す図である。
【図１Ｂ】図１Ａに示される光コネクタの組立後の状態を示す図である。
【図２】図１Ａ，図１Ｂに示される光ファイバコードの断面図である。
【図３Ａ】本発明の第二実施形態に係る光コネクタの一部断面を含む側面図であって光コネクタの組立途中の状態を示す図である。
【図３Ｂ】図３Ａに示される光コネクタの組立後の状態を示す図である。
【図４】図３Ａ，図３Ｂに示される光ファイバコードの先端側の側面図である。
【図５Ａ】本発明の第三実施形態に係る光コネクタの一部断面を含む側面図であって光コネクタの組立途中の状態を示す図である。
【図５Ｂ】図５Ａに示される光コネクタの組立後の状態を示す図である。
【図６Ａ】本発明の第四実施形態に係る光コネクタの要部拡大斜視図であって把持補助部材が取り付けられる前の状態を示す図である。
【図６Ｂ】図６Ａに示される把持補助部材が取り付けられた後の状態を示す図である。
【図７】本発明の第五実施形態に係る光コネクタの要部拡大側面図である。
【図８】本発明の第五実施形態に係る光コネクタの組立後の状態を示す図である。
【図９Ａ】本発明の第六実施形態に係る光コネクタの要部拡大斜視図であって心線把持部材が取り付けられる前の状態を示す図である。
【図９Ｂ】図９Ａに示される心線把持部材が取り付けられた後の状態を示す図である。
【図１０】本発明の第七実施形態に係る光コネクタの要部拡大斜視図であって治具が取り付けられた状態を示す図である。
【図１１】図１０の要部拡大図である。
【発明を実施するための形態】
【００５６】
［第一実施形態］
はじめに、本発明の第一実施形態について説明する。
【００５７】
図１Ａ，図１Ｂに示されるように、本発明の第一実施形態に係る光コネクタ１０は、後述する光ファイバコード７０に取り付けられるものであり、プラグ１２と、コード固定部材１４と、ハウジング１６とを主要な構成として備えている。
【００５８】
プラグ１２は、フェルール１８及びファイバ固定部２０を有して構成されている。フェルール１８は、内蔵光ファイバ２２を有しており、後述するファイバ固定部２０の基板２４に一体に設けられている。
【００５９】
ファイバ固定部２０は、所謂、メカニカルスプライス方式とされており、基板２４と、一対の蓋２６，２８と、押圧部材３０とを有して構成されている。基板２４の表面部には、光コネクタ１０の軸方向に沿って溝３２が形成されており、この溝３２には、上述の内蔵光ファイバ２２の後端側が挿入されている。
【００６０】
一対の蓋２６，２８は、溝３２の長手方向に並んで配置されると共に、それぞれこの溝３２が形成された基板２４の表面部を覆う大きさ及び形状で構成されている。また、この一対の蓋２６，２８は、押圧部材３０によって基板２４側にそれぞれ押圧されている。
【００６１】
なお、この光コネクタ１０では、この光コネクタ１０に一体部品として備えられるか又は別体の治具とされた楔を挿入可能な凹部（いずれも不図示）が基板２４及び一対の蓋２６，２８に形成されている。そして、この凹部に楔を挿入することで基板２４から一対の蓋２６，２８を離間させることが可能となっている。
【００６２】
コード固定部材１４は、プラグ１２及びハウジング１６と別体に構成されており、コード固定部３４と、心線把持部３６とを有して構成されている。コード固定部３４は、筒状に構成されており、例えば、かしめや接着等によって、後述する光ファイバコード７０を構成するシース７４及び抗張力体７６の少なくとも一方の端側と固定される。
【００６３】
心線把持部３６は、本体部としての一対のアーム片３８を有している。この一対のアーム片３８は、後述する光ファイバ心線７２の突出部７２Ａに対する径方向両側に配置されると共に、それぞれコード固定部３４からファイバ固定部２０に向けて延出されている。
【００６４】
また、この各アーム片３８の先端側には、爪部４０がそれぞれ形成されている。各爪部４０は、各アーム片３８の先端側から突出部７２Ａに向けて形成されており、突出部７２Ａを把持可能な構成とされている。
【００６５】
なお、この心線把持部３６では、一対のアーム片３８の弾性変形を伴って、一対の爪部４０が突出部７２Ａを把持する構成とされている。
【００６６】
ハウジング１６は、光コネクタ１０の軸方向に互いに対向する前側壁部４２及び後側壁部４４を有して構成された中空状のハウジング本体４６を有している。前側壁部４２には、前側孔部４８が形成されており、後側壁部４４には、光コネクタ１０の後側に向かうに従って拡径するテーパ状の後側孔部５０が形成されている。
【００６７】
そして、このハウジング本体４６の内部には、上述のファイバ固定部２０が収容されており、このファイバ固定部２０に一体に設けられたフェルール１８は、前側孔部４８を通じて外部に突出されている。また、上述の基板２４及び蓋２８には、拡径部５２が形成されており、この拡径部５２と後側壁部４４との間には、スプリング５４が圧縮状態で収容されている。そして、プラグ１２は、このスプリング５４によって光コネクタ１０の先端側に付勢されている。
【００６８】
また、上述の後側壁部４４には、解除部としての一対の延出部５６が形成されている。この一対の延出部５６は、一対の爪部４０とファイバ固定部２０との間に設けられると共に、それぞれ後側壁部４４から一対の爪部４０に向けて延出されている。
【００６９】
さらに、上述のハウジング１６は、延長部５８と可動部６０を有している。延長部５８は、後側壁部４４から光コネクタ１０の後側に向けて軸方向に沿って延出されており、可動部６０は、延長部５８と光コネクタ１０の径方向に対向して設けられている。
【００７０】
可動部６０は、その先端側がハウジング本体４６に回動可能に連結されており、図１Ａに示されるように、ハウジング本体４６に対して回動されてコード固定部材１４から離間された開状態と、図１Ｂに示されるように、光コネクタ１０の軸方向に沿って配置されてコード固定部材１４と当接する閉状態とを取り得るようになっている。また、可動部６０の後端側には、コード固定部材１４の抜けを防止するための抜止部６２が延長部５８に向けて形成されている。
【００７１】
そして、この光コネクタ１０では、図１Ｂに示されるように、コード固定部材１４がハウジング１６に組み付けられた状態では、一対の延出部５６が一対の爪部４０とそれぞれ接触されて、この一対の爪部４０が各アーム片３８との連結部を支点としてコード固定部３４側に弾性変形され、これにより、一対の爪部４０による突出部７２Ａの把持が解除される構成とされている。
【００７２】
また、この光コネクタ１０では、上述の図１Ｂに示される状態では、一対の延出部５６及び抜止部６２によってコード固定部材１４の光コネクタ１０の軸方向への移動が規制されると共に、延長部５８及び可動部６０によってコード固定部材１４の光コネクタ１０の径方向への移動が規制される構成とされている。
【００７３】
なお、このハウジング１６では、図示しないロック部が設けられており、このロック部によって可動部６０を閉状態に保持できる構成とされている。
【００７４】
光ファイバコード７０は、図２に示されるように、光ファイバ心線７２と、光ファイバ心線７２を収容するシース７４と、光ファイバ心線７２及びシース７４の間に設けられた抗張力体７６とを有している。また、この光ファイバコード７０は、シース７４及び抗張力体７６に対して光ファイバ心線７２が長手方向に移動可能とされたものであり、所謂、ルースな光ファイバコード７０とされている。
【００７５】
また、図１Ａ，図１Ｂに示されるように、光ファイバコード７０の先端側では、上述のシース７４及び抗張力体７６が切除されることにより、シース７４及び抗張力体７６の端部から光ファイバ心線７２の一部が突出部７２Ａとして突出されている。
【００７６】
次に、上記構成からなる光コネクタ１０の組立方法と併せてその作用及び効果について説明する。
【００７７】
先ず、図１Ａに示されるように、シース７４及び抗張力体７６の少なくとも一方の端側にコード固定部３４を固定して、光ファイバコード７０にコード固定部材１４を一体に取り付けると共に、光ファイバ心線７２の突出部７２Ａを一対の爪部４０によって把持する。また、可動部６０を開状態とすると共に、基板２４及び一対の蓋２６，２８に形成された凹部に楔を挿入することで基板２４から一対の蓋２６，２８を離間させる。
【００７８】
続いて、コード固定部材１４を延長部５８と可動部６０の間に進入させると共にファイバ固定部２０に接近させ、一対の爪部４０によって把持された突出部７２Ａを後側孔部５０及びファイバ固定部２０の内部（溝３２）に順次挿入する。
【００７９】
そして、ファイバ固定部２０の内部で突出部７２Ａを内蔵光ファイバ２２に突き合わせると共に、ファイバ固定部２０に対する一対の爪部４０（コード固定部材１４）の相対位置を調節することで、一対の爪部４０とファイバ固定部２０との間において突出部７２Ａの一部に撓み７８を生じさせ、突出部７２Ａと内蔵光ファイバ２２との確実な突き合わせ状態を確認する。
【００８０】
続いて、この状態で、上述の楔を抜き去り、互いに突き合わされた突出部７２Ａと内蔵光ファイバ２２とを基板２４及び一対の蓋２６，２８によって挟持して固定する。
【００８１】
そして、その後に、図１Ｂに示されるように、コード固定部材１４をファイバ固定部２０に接近させて、一対の延出部５６を一対の爪部４０のそれぞれと接触させ、この状態からコード固定部材１４をファイバ固定部２０にさらに接近させる。これにより、この各爪部４０が各アーム片３８との連結部を支点としてコード固定部３４側に変形され、一対の爪部４０による突出部７２Ａの把持が解除される。
【００８２】
続いて、可動部６０を閉状態とする。これにより、一対の延出部５６及び抜止部６２によってコード固定部材１４の光コネクタ１０の軸方向への移動が規制されると共に、延長部５８及び可動部６０によってコード固定部材１４の光コネクタ１０の径方向への移動が規制される。つまり、コード固定部材１４がハウジング本体４６に対して保持される。そして、以上の要領により、光ファイバコード７０に光コネクタ１０が取り付けられる。
【００８３】
このように、この光コネクタ１０によれば、所謂、ルースな光ファイバコード７０であっても、コード固定部３４に一体に形成された心線把持部３６によって突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【００８４】
また、心線把持部３６による突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ１０内に確保する必要がないため、光コネクタ１０の小型化を図ることができる。
【００８５】
しかも、コード固定部材１４をファイバ固定部２０に接近させるだけ（コード固定部材１４をファイバ固定部２０側に押し込むだけ）の簡単な操作で、心線把持部３６による突出部７２Ａの把持を解除することができる。
【００８６】
さらに、突出部７２Ａの撓み７８を解消させることにより、光ファイバ心線７２の曲げ損失等の発生も抑制することができる。
【００８７】
また、心線把持部３６がコード固定部３４に一体に形成されているので、部品点数の増加を抑えることができる。
【００８８】
また、心線把持部３６による突出部７２Ａの把持が解除された状態では、コード固定部材１４が一対の延出部５６、抜止部６２、延長部５８、及び、可動部６０によって挟み込まれることにより、このコード固定部材１４をハウジング本体４６に対して保持することができる。これにより、光コネクタ１０からの光ファイバコード７０の抜けやガタツキ等を抑制することができる。
【００８９】
なお、この光コネクタ１０において、心線把持部３６は、アーム片３８及び爪部４０を一対ずつ有して構成されていたが、アーム片３８及び爪部４０を３つ以上ずつ有して構成されていても良い。
【００９０】
また、心線把持部３６は、一対のアーム片３８を有して構成されていたが、例えば、この一対のアーム片３８の代わりに、コード固定部３４からファイバ固定部２０に向けて延出された筒状の本体部を有し、この本体部の先端側に複数の爪部４０が形成されていても良い。また、この場合に、複数の爪部４０は、弾性変形を伴って突出部７２Ａを把持する構成とされていても良い。
【００９１】
また、可動部６０は、ハウジング本体４６に回動可能に支持されていたが、これ以外にも、例えば、ハウジング本体４６にスライド可能や取付姿勢を変更可能に支持されていても良い。
【００９２】
また、心線把持部３６は、コード固定部３４に一体に形成されていたが、コード固定部３４と別体に構成されて、このコード固定部３４に一体に取り付けられても良い。
【００９３】
［第二実施形態］
次に、本発明の第二実施形態について説明する。
【００９４】
図３Ａ，図３Ｂに示される本発明の第二実施形態に係る光コネクタ８０は、上述の本発明の第一実施形態に係る光コネクタ１０に対し、次の如く構成が変更されている。
【００９５】
すなわち、ハウジング１６は、筒状の収容部８２を有している。この収容部８２は、後側壁部４４から光コネクタ８０の後側に向けて軸方向に沿って延出されており、コード固定部材１４を収容可能な構成とされている。また、収容部８２には、解除部としての一対の逃げ部９６が貫通形成されている。
【００９６】
一方、コード固定部材１４には、心線把持部８６が一体に形成されている。この心線把持部８６は、コード固定部３４からファイバ固定部２０に向けて延出された一対の弾性片８８によって構成されており、各弾性片８８は、その先端側に突出部７２Ａを把持するための爪部８８Ａを有して構成されている。また、この各弾性片８８の長手方向中央部には、収容部８２の内周面に向けて押圧部としての突起９２が形成されている。
【００９７】
そして、この光コネクタ８０では、図４に示されるように、コード固定部材１４が収容部８２に収容されていない状態（各弾性片８８に押圧力が作用されていない状態）では、一対の弾性片８８（一対の爪部８８Ａ）が突出部７２Ａから離間される構成（突出部７２Ａを把持しない）構成とされている。
【００９８】
また、この光コネクタ８０では、図３Ａに示されるように、コード固定部材１４が収容部８２内に収容されると、各弾性片８８と収容部８２との間に位置された突起９２によって一対の弾性片８８が互いに接近される側に押圧されて弾性変形され、これにより、この一対の弾性片８８によって突出部７２Ａが把持される構成とされている。
【００９９】
さらに、この光コネクタ８０では、図３Ｂに示されるように、図３Ａに示される状態からコード固定部材１４がファイバ固定部２０にさらに接近されると、突起９２が逃げ部９６に進入されることにより、一対の弾性片８８の押圧状態が解除され、これにより、一対の弾性片８８が元の形状に復元されて、この一対の弾性片８８による突出部７２Ａの把持が解除される構成とされている。
【０１００】
また、この光コネクタ８０では、上述の図３Ｂに示される状態では、突起９２が逃げ部９６に係合され、これにより、コード固定部材１４の光コネクタ８０の軸方向への移動が規制されると共に、コード固定部材１４が収容部８２に収容されることによってコード固定部材１４の光コネクタ８０の径方向への移動が規制される構成とされている。
【０１０１】
次に、上記構成からなる光コネクタ８０の組立方法と併せてその作用及び効果について説明する。
【０１０２】
先ず、図４に示されるように、光ファイバコード７０にコード固定部材１４を一体に取り付ける。そして、図３Ａに示されるように、コード固定部材１４を収容部８２内に収容する。これにより、各弾性片８８と収容部８２との間に位置された突起９２によって一対の弾性片８８が互いに接近される側に押圧されて弾性変形され、この一対の弾性片８８によって突出部７２Ａが把持される。
【０１０３】
また、上述の本発明の第一実施形態と同様に、突出部７２Ａをファイバ固定部２０の内部に挿入して、この突出部７２Ａを内蔵光ファイバ２２に突き合わせると共に、突出部７２Ａの一部に撓み７８を生じさせ、突出部７２Ａと内蔵光ファイバ２２との確実な突き合わせ状態を確認する。そして、この状態で、楔を抜き去り、互いに突き合わされた突出部７２Ａと内蔵光ファイバ２２とをファイバ固定部２０によって固定する。
【０１０４】
そして、その後に、図３Ｂに示されるように、コード固定部材１４をファイバ固定部２０に接近させる。これにより、突起９２が逃げ部９６に進入されることにより、一対の弾性片８８の押圧状態が解除される。そして、一対の弾性片８８が元の形状に復元されることにより、この一対の弾性片８８による突出部７２Ａの把持が解除される。
【０１０５】
また、このときには、突起９２が逃げ部９６に係合されることにより、コード固定部材１４の光コネクタ８０の軸方向への移動が規制されると共に、コード固定部材１４が収容部８２に収容されることによってコード固定部材１４の光コネクタ８０の径方向への移動が規制される。つまり、コード固定部材１４がハウジング本体４６に対して保持される。そして、以上の要領により、光ファイバコード７０に光コネクタ８０が取り付けられる。
【０１０６】
このように、この光コネクタ８０によれば、所謂、ルースな光ファイバコード７０であっても、コード固定部３４に一体に形成された一対の弾性片８８によって突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【０１０７】
また、一対の弾性片８８による突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ８０内に確保する必要がないため、光コネクタ８０の小型化を図ることができる。
【０１０８】
しかも、コード固定部材１４をファイバ固定部２０に接近させるだけ（コード固定部材１４をファイバ固定部２０側に押し込むだけ）の簡単な操作で、一対の弾性片８８による突出部７２Ａの把持を解除することができる。
【０１０９】
さらに、突出部７２Ａの撓み７８を解消させることにより、光ファイバ心線７２の曲げ損失等の発生も抑制することができる。
【０１１０】
また、一対の弾性片８８を有する心線把持部８６がコード固定部３４に一体に形成されているので、部品点数の増加を抑えることができる。
【０１１１】
また、一対の弾性片８８による突出部７２Ａの把持が解除された状態では、突起９２が逃げ部９６と係合されると共に、コード固定部材１４が収容部８２に収容されることによって、コード固定部材１４をハウジング本体４６に対して保持することができる。これにより、光コネクタ１０からの光ファイバコード７０の抜けやガタツキ等を抑制することができる。
【０１１２】
なお、この光コネクタ８０において、心線把持部８６は、一対の弾性片８８によって構成されていたが、３つ以上の弾性片によって構成されていても良い。
【０１１３】
また、突起９２は、弾性片８８に形成され、逃げ部９６は、収容部８２に形成されていたが、突起９２は、収容部８２に形成され、逃げ部９６は、弾性片８８に形成されていても良い。
【０１１４】
また、逃げ部９６は、収容部８２に貫通する孔部によって構成されていたが、収容部８２の内周面に開口する凹部によって構成されていても良い。
【０１１５】
また、心線把持部８６は、コード固定部３４に一体に形成されていたが、コード固定部３４と別体に構成されて、このコード固定部３４に一体に取り付けられても良い。
【０１１６】
［第三実施形態］
次に、本発明の第三実施形態について説明する。
【０１１７】
図５Ａ，図５Ｂに示される本発明の第三実施形態に係る光コネクタ１００は、上述の本発明の第一実施形態に係る光コネクタ１０に対し、次の如く構成が変更されている。
【０１１８】
すなわち、コード固定部材１４には、心線把持部１０６が一体に形成されている。この心線把持部１０６は、コード固定部３４からファイバ固定部２０に向けて延出された一対のアーム片１０８，１０９を有しており、各アーム片１０８，１０９は、その先端側に突出部７２Ａを把持するための爪部１０８Ａ，１０９Ａを有している。また、一対のアーム片１０８，１０９のうち可動部６０と反対側に位置された他方のアーム片１０９の先端側には、被係合部１１２がファイバ固定部２０に向けて一体に形成されている。
【０１１９】
一方、可動部６０には、光コネクタ１００の内側に向けて突出する解除部としての係合部１１６が形成されている。
【０１２０】
そして、この光コネクタ１００では、図５Ａに示されるように、可動部６０が開状態とされているときには、コード固定部材１４が延長部５８の上に配置された状態でも、係合部１１６が被係合部１１２から離間されるように、可動部６０の回動角度や係合部１１６の長さ等が設定されている。
【０１２１】
また、この光コネクタ１００では、図５Ｂに示されるように、可動部６０が開状態から閉状態にまで回動されると、この可動部６０の回動に伴って被係合部１１２が係合部１１６と係合状態で一体に変位され、これにより、この被係合部１１２が形成された他方のアーム片１０９が一方のアーム片１０８に対して離間側に弾性変形されて、この一対のアーム片１０８，１０９による突出部７２Ａの把持が解除される構成とされている。
【０１２２】
さらに、この光コネクタ１００では、上述の図５Ｂに示される状態では、係合部１１６が被係合部１１２に押圧されて他方のアーム片１０９が弾性変形されることによりコード固定部材１４のファイバ固定部２０側の移動が規制されると共に、抜止部６２によってコード固定部材１４のファイバ固定部２０に対する離間側の移動が規制され、且つ、延長部５８及び可動部６０によってコード固定部材１４の光コネクタ１００の径方向への移動が規制される構成とされている。
【０１２３】
次に、上記構成からなる光コネクタ１００の組立方法と併せてその作用及び効果について説明する。
【０１２４】
先ず、図５Ａに示されるように、光ファイバコード７０にコード固定部材１４を一体に取り付けると共に、光ファイバ心線７２の突出部７２Ａを一対のアーム片１０８，１０９によって把持する。また、可動部６０を開状態とする。
【０１２５】
続いて、上述の本発明の第一実施形態と同様に、突出部７２Ａをファイバ固定部２０の内部に挿入して、この突出部７２Ａを内蔵光ファイバ２２に突き合わせると共に、突出部７２Ａの一部に撓み７８を生じさせ、突出部７２Ａと内蔵光ファイバ２２との確実な突き合わせ状態を確認する。そして、この状態で、楔を抜き去り、互いに突き合わされた突出部７２Ａと内蔵光ファイバ２２とをファイバ固定部２０によって固定する。
【０１２６】
そして、その後に、図５Ｂに示されるように、可動部６０を開状態から閉状態にまで回動させる。これにより、この可動部６０の回動に伴って被係合部１１２が係合部１１６と係合状態で一体に変位され、この被係合部１１２が形成された他方のアーム片１０９が一方のアーム片１０８に対して離間側に変形される。そして、他方のアーム片１０９が弾性変形を伴って突出部７２Ａから離間され、これにより、一対のアーム片１０８，１０９による突出部７２Ａの把持が解除される。
【０１２７】
続いて、可動部６０を閉状態とする。これにより、抜止部６２によってコード固定部材１４のファイバ固定部２０に対する離間側の移動が規制されると共に、延長部５８及び可動部６０によってコード固定部材１４の光コネクタ１００の径方向への移動が規制される。また、このときには、係合部１１６が被係合部１１２に押圧されて他方のアーム片１０９が弾性変形されることによりコード固定部材１４のファイバ固定部２０側の移動が規制される。つまり、コード固定部材１４がハウジング本体４６に対して保持される。そして、以上の要領により、光ファイバコード７０に光コネクタ１００が取り付けられる。
【０１２８】
このように、この光コネクタ１００によれば、所謂、ルースな光ファイバコード７０であっても、コード固定部３４に一体に形成された一対のアーム片１０８，１０９によって突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【０１２９】
また、一対のアーム片１０８，１０９による突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ１００内に確保する必要がないため、光コネクタ１００の小型化を図ることができる。
【０１３０】
しかも、可動部６０を開状態から閉状態とするだけの簡単な操作で、一対のアーム片１０８，１０９による突出部７２Ａの把持を解除することができる。
【０１３１】
さらに、突出部７２Ａの撓み７８を解消させることにより、光ファイバ心線７２の曲げ損失等の発生も抑制することができる。
【０１３２】
また、一対のアーム片１０８，１０９を有する心線把持部１０６がコード固定部３４に一体に形成されているので、部品点数の増加を抑えることができる。
【０１３３】
また、一対のアーム片１０８，１０９による突出部７２Ａの把持が解除された状態では、係合部１１６が被係合部１１２に押圧されて他方のアーム片１０９が弾性変形されると共に、コード固定部材１４が抜止部６２、延長部５８、及び、可動部６０によって挟み込まれることにより、コード固定部材１４をハウジング本体４６に対して保持することができる。これにより、光コネクタ１０からの光ファイバコード７０の抜けやガタツキ等を抑制することができる。
【０１３４】
なお、この光コネクタ１００において、心線把持部１０６は、一対のアーム片１０８，１０９を有して構成されていたが、３つ以上のアーム片を有して構成されていても良い。
【０１３５】
また、心線把持部１０６は、コード固定部３４に一体に形成されていたが、コード固定部３４と別体に構成されて、このコード固定部３４に一体に取り付けられても良い。
【０１３６】
［第四実施形態］
次に、本発明の第四実施形態について説明する。
【０１３７】
図６Ａ，図６Ｂに示される本発明の第四実施形態に係る光コネクタ１２０は、上述の本発明の第一実施形態に係る光コネクタ１０に対し、次の如く構成が変更されている。
【０１３８】
なお、図６Ａ，図６Ｂに示されるコード固定部材１４以外の構成は、上述の本発明の第一実施形態と同様な構成とされており、この同様な構成については、図１Ａ，図１Ｂを参照することとする。
【０１３９】
すなわち、コード固定部材１４には、心線把持部１２６が一体に形成されている。この心線把持部１２６は、コード固定部３４からファイバ固定部２０に向けて延出された一対の弾性片１２８によって構成されており、各弾性片１２８は、その先端側に突出部７２Ａを把持するための爪部１２８Ａを有している。
【０１４０】
また、この光コネクタ１２０には、把持補助部材１３２が備えられている。この把持補助部材１３２は、ゲート状に形成され、一対の弾性片１２８に取り付け可能に構成されている。
【０１４１】
そして、この光コネクタ１２０では、図６Ａに示されるように、把持補助部材１３２が一対の弾性片１２８に取り付けられていない状態では、一対の弾性片１２８（一対の爪部１２８Ａ）が突出部７２Ａから離間される構成（突出部７２Ａを把持しない）構成とされている。
【０１４２】
また、この光コネクタ１２０では、図６Ｂに示されるように、把持補助部材１３２が一対の弾性片１２８に取り付けられると、この把持補助部材１３２によって一対の弾性片１２８が互いに接近される側に弾性変形され、これにより、この一対の弾性片１２８によって突出部７２Ａが把持される構成とされている。
【０１４３】
また、この光コネクタ１２０では、コード固定部材１４が延長部５８の上に配置された状態でも、可動部６０が開状態とされているときには（図１Ａ参照）、一対の弾性片１２８からの把持補助部材１３２の取り外しが可能とされている。
【０１４４】
次に、上記構成からなる光コネクタ１２０の組立方法と併せてその作用及び効果について説明する。
【０１４５】
先ず、図６Ａに示されるように、光ファイバコード７０にコード固定部材１４を一体に取り付ける。続いて、図６Ｂに示されるように、把持補助部材１３２を一対の弾性片１２８に取り付ける。これにより、この把持補助部材１３２によって一対の弾性片１２８が互いに接近される側に弾性変形され、この一対の弾性片１２８によって突出部７２Ａが把持される。また、可動部６０を開状態とする（図１Ａ参照）。
【０１４６】
続いて、上述の本発明の第一実施形態と同様に、突出部７２Ａをファイバ固定部２０の内部に挿入して、この突出部７２Ａを内蔵光ファイバ２２に突き合わせると共に、突出部７２Ａの一部に撓み７８を生じさせ、突出部７２Ａと内蔵光ファイバ２２との確実な突き合わせ状態を確認する。そして、この状態で、楔を抜き去り、互いに突き合わされた突出部７２Ａと内蔵光ファイバ２２とをファイバ固定部２０によって固定する（図１Ａ参照）。
【０１４７】
そして、その後に、図６Ａに示されるように、把持補助部材１３２を一対の弾性片１２８から取り外す。これにより、一対の弾性片１２８が元の形状に復元されるので、この一対の弾性片１２８による突出部７２Ａの把持が解除される。
【０１４８】
続いて、可動部６０を閉状態とする（図１Ｂ参照）。これにより、抜止部６２によってコード固定部材１４の光コネクタの軸方向への移動が規制されると共に、延長部５８及び可動部６０によってコード固定部材１４の光コネクタの径方向への移動が規制される。また、このときには、図示しない規制部等により、コード固定部材１４のハウジング本体４６に対する軸方向の移動が規制される。つまり、コード固定部材１４がハウジング本体４６に対して保持される。そして、以上の要領により、本実施形態の光コネクタ１２０が光ファイバコード７０に取り付けられる。
【０１４９】
このように、この光コネクタ１２０によれば、所謂、ルースな光ファイバコード７０であっても、コード固定部３４に一体に形成された一対の弾性片１２８によって突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【０１５０】
また、一対の弾性片１２８による突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ１２０内に確保する必要がないため、光コネクタ１２０の小型化を図ることができる。
【０１５１】
しかも、突出部７２Ａの撓み７８を解消させることにより、光ファイバ心線７２の曲げ損失等の発生も抑制することができる。
【０１５２】
さらに、必要に応じて、一対の弾性片１２８から取り外された把持補助部材１３２を他の光コネクタ１２０に再利用（使い回し）することができる。
【０１５３】
なお、この光コネクタ１２０において、心線把持部１２６は、一対の弾性片１２８によって構成されていたが、３つ以上の弾性片によって構成されていても良い。
【０１５４】
また、心線把持部１２６は、コード固定部３４に一体に形成されていたが、コード固定部３４と別体に構成されて、このコード固定部３４に一体に取り付けられても良い。
【０１５５】
［第五実施形態］
次に、本発明の第五実施形態について説明する。
【０１５６】
図７，図８に示される本発明の第五実施形態に係る光コネクタ１４０は、上述の本発明の第一実施形態に係る光コネクタ１４０に対し、次の如く構成が変更されている。
【０１５７】
すなわち、コード固定部材１４には、図７に示されるように、心線把持部１４６が一体に形成されている。この心線把持部１４６は、一対のアーム片１４８，１４９を有しており、各アーム片１４８，１４９は、コード固定部３４からファイバ固定部２０に向けて延出されている。
【０１５８】
一方のアーム片１４８における長手方向中央部には、一つの爪部１５０Ａが他方のアーム片１４９に向けて形成されている。一方、他方のアーム片１４９には、上述の爪部１５０Ａと互い違いとなるように、一対の爪部１５０Ｂ，１５０Ｃが一方のアーム片１４８に向けて形成されている。さらに、一方のアーム片１４８は、他方のアーム片１４９よりも長く形成されており、この一方のアーム片１４８の先端部は、摺接部１５２とされている。
【０１５９】
一方、図８に示されるように、後側壁部４４には、一方のアーム片１４８に向けて突出された解除部としての被摺接部１５６が形成されている。また、この被摺接部１５６の先端には、光コネクタ１４０の軸方向に対して傾斜する傾斜面１５６Ａが形成されている。
【０１６０】
そして、この光コネクタ１４０では、図８に示されるように、コード固定部材１４が延長部５８と可動部６０との間に配置された状態でファイバ固定部２０に接近されると、摺接部１５２の先端側が被摺接部１５６の傾斜面１５６Ａと摺接され、これにより、一方のアーム片１４８が他方のアーム片１４９に対して離間側に弾性変形されて、複数の爪部１５０Ａ，１５０Ｂ，１５０Ｃによる突出部７２Ａの把持が解除される構成とされている。
【０１６１】
また、この光コネクタ１４０では、上述の図８に示される状態では、摺接部１５２が被摺接部１５６に押圧されて一方のアーム片１４８が弾性変形されることによりコード固定部材１４のファイバ固定部２０側の移動が規制されると共に、抜止部６２によってコード固定部材１４のファイバ固定部２０に対する離間側の移動が規制され、且つ、延長部５８及び可動部６０によってコード固定部材１４の光コネクタ１４０の径方向への移動が規制される構成とされている。
【０１６２】
次に、上記構成からなる光コネクタ１４０の組立方法と併せてその作用及び効果について説明する。
【０１６３】
先ず、図７に示されるように、光ファイバコード７０にコード固定部材１４を一体に取り付けると共に、光ファイバ心線７２の突出部７２Ａを複数の爪部１５０Ａ，１５０Ｂ，１５０Ｃによって把持する。また、可動部６０を開状態とする（図１Ａ参照）。
【０１６４】
続いて、上述の本発明の第一実施形態と同様に、突出部７２Ａをファイバ固定部２０の内部に挿入して、この突出部７２Ａを内蔵光ファイバ２２に突き合わせると共に、突出部７２Ａの一部に撓み７８を生じさせ、突出部７２Ａと内蔵光ファイバ２２との確実な突き合わせ状態を確認する。そして、この状態で、楔を抜き去り、互いに突き合わされた突出部７２Ａと内蔵光ファイバ２２とをファイバ固定部２０によって固定する。
【０１６５】
そして、その後に、図８に示されるように、コード固定部材１４をファイバ固定部２０に接近させて、摺接部１５２の先端側を被摺接部１５６の傾斜面１５６Ａと接触させ、この状態からコード固定部材１４をファイバ固定部２０にさらに接近させる。これにより、摺接部１５２の先端側が被摺接部１５６の傾斜面１５６Ａと摺接され、これにより、一方のアーム片１４８が他方のアーム片１４９に対して離間側に弾性変形されて、複数の爪部１５０Ａ，１５０Ｂ，１５０Ｃによる突出部７２Ａの把持が解除される。
【０１６６】
続いて、可動部６０を閉状態とする。これにより、抜止部６２によってコード固定部材１４のファイバ固定部２０に対する離間側の移動が規制されると共に、延長部５８及び可動部６０によってコード固定部材１４の光コネクタ１４０の径方向への移動が規制される。また、このときには、摺接部１５２が被摺接部１５６に押圧されて一方のアーム片１４８が弾性変形されることによりコード固定部材１４のファイバ固定部２０側の移動が規制される。つまり、コード固定部材１４がハウジング本体４６に対して保持される。そして、以上の要領により、光ファイバコード７０に光コネクタ１４０が取り付けられる。
【０１６７】
このように、この光コネクタ１４０によれば、所謂、ルースな光ファイバコード７０であっても、コード固定部３４に一体に形成された心線把持部１４６によって突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【０１６８】
また、心線把持部１４６による突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ１４０内に確保する必要がないため、光コネクタ１４０の小型化を図ることができる。
【０１６９】
しかも、コード固定部材１４をファイバ固定部２０に接近させるだけ（コード固定部材１４をファイバ固定部２０側に押し込むだけ）の簡単な操作で、心線把持部１４６による突出部７２Ａの把持を解除することができる。
【０１７０】
さらに、突出部７２Ａの撓み７８を解消させることにより、光ファイバ心線７２の曲げ損失等の発生も抑制することができる。
【０１７１】
また、心線把持部１４６がコード固定部３４に一体に形成されているので、部品点数の増加を抑えることができる。
【０１７２】
また、複数の爪部１５０Ａ，１５０Ｂ，１５０Ｃによる突出部７２Ａの把持が解除された状態では、摺接部１５２が被摺接部１５６に押圧されて一方のアーム片１４８が弾性変形されると共に、コード固定部材１４が抜止部６２、延長部５８、及び、可動部６０によって挟み込まれることにより、コード固定部材１４をハウジング本体４６に対して保持することができる。これにより、光コネクタ１０からの光ファイバコード７０の抜けやガタツキ等を抑制することができる。
【０１７３】
また、複数の爪部１５０Ａ，１５０Ｂ，１５０Ｃが互い違いに配置されており、この複数の爪部１５０Ａ，１５０Ｂ，１５０Ｃによって突出部７２Ａを少し撓ませた状態で把持することができる。これにより、複数の爪部１５０Ａ，１５０Ｂ，１５０Ｃの把持力（アーム片１４８，１４９の弾性力）が弱くても突出部７２Ａを十分に把持することができるので、突出部７２Ａの破断を抑制することができる。
【０１７４】
なお、この光コネクタ１４０において、心線把持部１４６は、一対のアーム片１４８，１４９を有して構成されていたが、アーム片を３つ以上ずつ有して構成されていても良く、また、爪部も４つ以上有して構成されていても良い。
【０１７５】
また、摺接部１５２は、一方のアーム片１４８に形成されていたが、例えば、一方のアーム片１４８の爪部１５０Ａに形成されていても良い。
【０１７６】
また、心線把持部１４６は、コード固定部３４に一体に形成されていたが、コード固定部３４と別体に構成されて、このコード固定部３４に一体に取り付けられても良い。
【０１７７】
［第六実施形態］
次に、本発明の第六実施形態について説明する。
【０１７８】
図９Ａ，図９Ｂに示される本発明の第六実施形態に係る光コネクタ１６０は、上述の本発明の第一実施形態に係る光コネクタ１０に対し、次の如く構成が変更されている。
【０１７９】
なお、図９Ａ，図９Ｂに示されるコード固定部材１４以外の構成は、上述の本発明の第一実施形態と同様な構成とされており、この同様な構成については、図１Ａ，図１Ｂを参照することとする。
【０１８０】
すなわち、コード固定部材１４は、上述のコード固定部３４に加えて、心線把持部としての心線把持部材１６６と、被嵌合部１７２とを有して構成されている。
【０１８１】
心線把持部材１６６は、コード固定部３４と別体に構成されており、ブロック状に形成されている。また、この心線把持部材１６６は、例えば、ゴム等の弾性材料により形成されており、この心線把持部材１６６の上面には、ツマミ１６８が突出して形成されている。さらに、この心線把持部材１６６は、後述する被嵌合部１７２と嵌合可能に構成されている。
【０１８２】
一方、被嵌合部１７２は、凹型に形成されると共に、コード固定部３４に一体に形成されている。この被嵌合部１７２の底面には、把持突起１７４が形成されており、この把持突起１７４は、被嵌合部１７２に心線把持部材１６６が嵌合された場合に、この心線把持部材１６６とで突出部７２Ａを把持する構成とされている。
【０１８３】
なお、この光コネクタ１６０では、コード固定部材１４が延長部５８の上に配置された状態でも、可動部６０が開状態とされているときには（図１Ａ参照）、被嵌合部１７２からの心線把持部材１６６の取り外しが可能とされている。
【０１８４】
次に、上記構成からなる光コネクタ１６０の組立方法と併せてその作用及び効果について説明する。
【０１８５】
先ず、図９Ａに示されるように、光ファイバコード７０にコード固定部材１４を一体に取り付ける。続いて、図９Ｂに示されるように、心線把持部材１６６を被嵌合部１７２に嵌合する。これにより、この心線把持部材１６６及び把持突起１７４によって突出部７２Ａが把持される。また、可動部６０を開状態とする（図１Ａ参照）。
【０１８６】
続いて、上述の本発明の第一実施形態と同様に、突出部７２Ａをファイバ固定部２０の内部に挿入して、この突出部７２Ａを内蔵光ファイバ２２に突き合わせると共に、突出部７２Ａの一部に撓み７８を生じさせ、突出部７２Ａと内蔵光ファイバ２２との確実な突き合わせ状態を確認する。そして、この状態で、楔を抜き去り、互いに突き合わされた突出部７２Ａと内蔵光ファイバ２２とをファイバ固定部２０によって固定する（図１Ａ参照）。
【０１８７】
そして、その後に、図９Ａに示されるように、心線把持部材１６６を被嵌合部１７２から取り外す。これにより、突出部７２Ａの把持が解除される。
【０１８８】
続いて、可動部６０を閉状態とする（図１Ｂ参照）。これにより、抜止部６２によってコード固定部材１４の光コネクタの軸方向への移動が規制されると共に、延長部５８及び可動部６０によってコード固定部材１４の光コネクタの径方向への移動が規制される。また、このときには、図示しない規制部等により、コード固定部材１４のハウジング本体４６に対する軸方向の移動が規制される。つまり、コード固定部材１４がハウジング本体４６に対して保持される。そして、以上の要領により、本実施形態の光コネクタ１６０が光ファイバコード７０に取り付けられる。
【０１８９】
このように、この光コネクタ１６０によれば、所謂、ルースな光ファイバコード７０であっても、コード固定部３４に一体に形成された被嵌合部１７２に心線把持部材１６６を嵌合して突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【０１９０】
また、心線把持部材１６６が被嵌合部１７２から取り外されて突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ１６０内に確保する必要がないため、光コネクタ１６０の小型化を図ることができる。
【０１９１】
しかも、突出部７２Ａの撓み７８を解消させることにより、光ファイバ心線７２の曲げ損失等の発生も抑制することができる。
【０１９２】
さらに、必要に応じて、被嵌合部１７２から取り外された心線把持部材１６６を他の光コネクタ１６０に再利用（使い回し）することができる。
【０１９３】
また、心線把持部材１６６が例えばゴム等の弾性材料により形成されているので、突出部７２Ａの破断を抑制することができる。
【０１９４】
なお、この光コネクタ１６０では、把持突起１７４が省略されて、心線把持部材１６６と被嵌合部１７２の底面とで突出部７２Ａが把持される構成とされていても良い。
【０１９５】
また、心線把持部材１６６は、光コネクタ１６０に一体部品として備えられていても良く、また、別体の治具とされていても良い。
【０１９６】
［第七実施形態］
次に、本発明の第七実施形態について説明する。
【０１９７】
図１０，図１１に示される本発明の第七実施形態に係る光コネクタ１８０は、上述の本発明の第六実施形態に係る光コネクタ１６０に対し、心線把持部材１６６の代わりに、コード固定部材１４を光コネクタ１８０内に挿入する際に使用する心線把持部としての治具１８６が備えられている。
【０１９８】
なお、図１０，図１１に示されるコード固定部材１４及び治具１８６以外の構成は、上述の本発明の第一実施形態と同様な構成とされており、この同様な構成については、図１Ａ，図１Ｂを参照することとする。
【０１９９】
治具１８６は、操作者が操作するための操作部１９２と、この操作部１９２の先端側に形成されコード固定部３４に取り付けられる取付部１９０と、取付部１９０の先端側に形成された一対の弾性片１８８とを有している。一対の弾性片１８８は、突出部７２Ａを把持可能に構成されている。
【０２００】
なお、この光コネクタ１８０では、コード固定部材１４が延長部５８の上に配置された状態でも、可動部６０が開状態とされているときには（図１Ａ参照）、コード固定部材１４からの治具１８６の取り外しが可能とされている。
【０２０１】
次に、上記構成からなる光コネクタ１８０の組立方法と併せてその作用及び効果について説明する。
【０２０２】
先ず、図１０に示されるように、光ファイバコード７０にコード固定部材１４を一体に取り付ける。続いて、取付部１９０をコード固定部３４に取り付けて治具１８６をコード固定部材１４に一体に取り付ける。また、このときに、一対の弾性片１８８によって突出部７２Ａを把持する。また、可動部６０を開状態とする（図１Ａ参照）。
【０２０３】
続いて、治具１８６を操作してコード固定部材１４をハウジング１６内に挿入する。そして、上述の本発明の第一実施形態と同様に、突出部７２Ａをファイバ固定部２０の内部に挿入して、この突出部７２Ａを内蔵光ファイバ２２に突き合わせると共に、突出部７２Ａの一部に撓み７８を生じさせ、突出部７２Ａと内蔵光ファイバ２２との確実な突き合わせ状態を確認する。続いて、この状態で、楔を抜き去り、互いに突き合わされた突出部７２Ａと内蔵光ファイバ２２とをファイバ固定部２０によって固定する（図１Ａ参照）。
【０２０４】
そして、その後に、治具１８６をコード固定部材１４から取り外す。これにより、突出部７２Ａの把持が解除される。
【０２０５】
続いて、可動部６０を閉状態とする（図１Ｂ参照）。これにより、抜止部６２によってコード固定部材１４の光コネクタの軸方向への移動が規制されると共に、延長部５８及び可動部６０によってコード固定部材１４の光コネクタの径方向への移動が規制される。また、このときには、図示しない規制部等により、コード固定部材１４のハウジング本体４６に対する軸方向の移動が規制される。つまり、コード固定部材１４がハウジング本体４６に対して保持される。そして、以上の要領により、本実施形態の光コネクタ１８０が光ファイバコード７０に取り付けられる。
【０２０６】
このように、この光コネクタ１８０によれば、所謂、ルースな光ファイバコード７０であっても、コード固定部材１４に一体に取り付けた治具１８６によって突出部７２Ａを把持することで、この突出部７２Ａを有する光ファイバ心線７２をシース７４及び抗張力体７６に対して長手方向に移動不能な状態とすることができる。従って、突出部７２Ａをファイバ固定部２０の内部に挿入する際に、この突出部７２Ａがシース７４内に押し戻されることを抑制して、突出部７２Ａを内蔵光ファイバ２２に確実に突き合わせることができる。
【０２０７】
また、治具１８６がコード固定部材１４から取り外されて突出部７２Ａの把持が解除されると、光ファイバ心線７２がシース７４及び抗張力体７６に対して長手方向に移動可能な状態に戻るので、突出部７２Ａの撓み７８を解消させることができる。これにより、突出部７２Ａの撓み７８を収容しておくための空間を光コネクタ１８０内に確保する必要がないため、光コネクタ１８０の小型化を図ることができる。
【０２０８】
しかも、突出部７２Ａの撓み７８を解消させることにより、光ファイバ心線７２の曲げ損失等の発生も抑制することができる。
【０２０９】
さらに、必要に応じて、コード固定部材１４から取り外された治具１８６を他の光コネクタ１８０に再利用（使い回し）することができる。
【０２１０】
なお、この光コネクタ１８０において、治具１８６は、一対の弾性片１８８を有して構成されていたが、３つ以上の弾性片を有して構成されていても良い。
【０２１１】
また、治具１８６は、光コネクタ１８０毎に用意されていても良く、また、複数の光コネクタ１８０に共通に用いられても良い。
【０２１２】
以上、本発明の一実施形態について説明したが、本発明は、上記に限定されるものでなく、上記以外にも、その主旨を逸脱しない範囲内において種々変形して実施することが可能であることは勿論である。
【符号の説明】
【０２１３】
１０・・・光コネクタ、１６・・・ハウジング、１８・・・フェルール、２０・・・ファイバ固定部、２２・・・内蔵光ファイバ、３４・・・コード固定部、３６・・・心線把持部、３８・・・アーム片（本体部）、４０・・・爪部、４６・・・ハウジング本体、５６・・・延出部（解除部）、６０・・・可動部、７０・・・光ファイバコード、７２・・・光ファイバ心線、７２Ａ・・・突出部、７４・・・シース、７６・・・抗張力体、８０・・・光コネクタ、８２・・・収容部、８６・・・心線把持部、８８・・・弾性片、９２・・・突起（押圧部）、９６・・・逃げ部（解除部）、１００・・・光コネクタ、１０６・・・心線把持部、１０８，１０９・・・アーム片、１１２・・・被係合部、１１６・・・係合部（解除部）、１２０・・・光コネクタ、１２６・・・心線把持部、１２８・・・弾性片、１３２・・・把持補助部材、１４０・・・光コネクタ、１４６・・・心線把持部、１４８，１４９・・・アーム片、１５０Ａ，１５０Ｂ，１５０Ｃ・・・爪部、１５２・・・摺接部、１５６・・・被摺接部（解除部）、１６０・・・光コネクタ、１６６・・・心線把持部材（心線把持部）、１７２・・・被嵌合部、１８０・・・光コネクタ、１８６・・・治具（心線把持部）、１８８・・・弾性片
【図１Ａ】
2011017979.tif 000003
【図１Ｂ】
2011017979.tif 000004
【図２】
2011017979.tif 000005
【図３Ａ】
2011017979.tif 000006
【図３Ｂ】
2011017979.tif 000007
【図４】
2011017979.tif 000008
【図５Ａ】
2011017979.tif 000009
【図５Ｂ】
2011017979.tif 000010
【図６Ａ】
2011017979.tif 000011
【図６Ｂ】
2011017979.tif 000012
【図７】
2011017979.tif 000013
【図８】
2011017979.tif 000014
【図９Ａ】
2011017979.tif 000015
【図９Ｂ】
2011017979.tif 000016
【図１０】
2011017979.tif 000017
【図１１】
2011017979.tif 000018